(57)【要約】【課題】ユーザの操作性を向上させ、「特異月」や「特異日」のグラフの詳細を簡易に確認できるようにする。【解決手段】年グラフＧ１において、エネルギーの消費量が特異となっている月（特異月）を特定し、この月の時系列データの表示領域（Ｓ１）をクリックする。すると、この月の月グラフＧ２が表示される。この月グラフＧ２において、エネルギーの消費量が特異となっている日（特異日）を特定し、この月の時系列データの表示領域（Ｓ２）をクリックする。すると、この日の日グラフＧ３が表示される。【選択図】  図２
2018049508.tif 000002
【特許請求の範囲】
【請求項１】
第１の軸を時間軸、この時間軸に直交する第２の軸をデータ軸とし、この時間軸とデータ軸とで示される直交平面上に第１の単位期間毎に求められた計測値を第１の時系列データとしてグラフ表示する第１のグラフ表示手段と、
前記第１のグラフ表示手段によってグラフ表示されている第１の時系列データのうち所望の時系列データの表示領域が選択指定された場合、その選択指定された時系列データが求められた前記第１の単位期間を表示対象期間とし、この表示対象期間中の前記第１の単位期間よりも細かい第２の単位期間毎に求められた計測値を第２の時系列データとしてグラフ表示する第２のグラフ表示手段と
を備えることを特徴とするグラフ表示装置。
【請求項２】
請求項１に記載されたグラフ表示装置において、
前記第２のグラフ表示手段によってグラフ表示されている第２の時系列データのうち所望の時系列データの表示領域が選択指定された場合、その選択指定された時系列データが求められた前記第２の単位期間を表示対象期間とし、この表示対象期間中の前記第２の単位期間よりも細かい第３の単位期間毎に求められた計測値を第３の時系列データとしてグラフ表示する第３のグラフ表示手段と
を備えることを特徴とするグラフ表示装置。
【請求項３】
第１の軸を時間軸、この時間軸に直交する第２の軸をデータ軸とし、この時間軸とデータ軸とで示される直交平面上に１ヶ月毎に求められた計測値を第１の時系列データとしてグラフ表示する第１のグラフ表示手段と、
前記第１のグラフ表示手段によってグラフ表示されている第１の時系列データのうち所望の時系列データの表示領域が選択指定された場合、その選択指定された時系列データが求められた月を表示対象期間とし、この表示対象期間中の１日毎に求められた計測値を第２の時系列データとしてグラフ表示する第２のグラフ表示手段と、
前記第２のグラフ表示手段によってグラフ表示されている第２の時系列データのうち所望の時系列データの表示領域が選択指定された場合、その選択指定された時系列データが求められた日を表示対象期間とし、この表示対象期間中の１時間毎に求められた計測値を第３の時系列データとしてグラフ表示する第３のグラフ表示手段と
を備えることを特徴とするグラフ表示装置。
【請求項４】
請求項１〜３の何れか１項に記載されたグラフ表示装置において、
前記時系列データは、
その時系列データが求められる期間中のエネルギーの消費量である
ことを特徴とするグラフ表示装置。
【請求項５】
請求項１〜３の何れか１項に記載されたグラフ表示装置において、
前記時系列データは、
その時系列データが求められる期間中の最大電力値である
ことを特徴とするグラフ表示装置。
【請求項６】
第１の軸を時間軸、この時間軸に直交する第２の軸をデータ軸とし、この時間軸とデータ軸とで示される直交平面上に第１の単位期間毎に求められた計測値を第１の時系列データとしてグラフ表示する第１のグラフ表示ステップと、
前記第１のグラフ表示ステップによってグラフ表示されている第１の時系列データのうち所望の時系列データの表示領域が選択指定された場合、その選択指定された時系列データが求められた前記第１の単位期間を表示対象期間とし、この表示対象期間中の前記第１の単位期間よりも細かい第２の単位期間毎に求められた計測値を第２の時系列データとしてグラフ表示する第２のグラフ表示ステップと
を備えることを特徴とするエネルギーグラフの表示方法。
【発明の詳細な説明】
【技術分野】
【０００１】
本発明は、単位期間毎に求められる計測値を時系列データとしてグラフ表示するグラフ表示装置および表示方法に関する。
【背景技術】
【０００２】
従来より、工場やプラントなどの施設では、その施設内でのエネルギーの消費量を管理するエネルギー管理システムが用いられている。
【０００３】
このエネルギー管理システムでは、第１の軸（横軸）を時間軸、この時間軸に直交する第２の軸（縦軸）をデータ軸とし、この時間軸とデータ軸とで示される直交平面上に単位期間毎に求められたエネルギーの消費量（計測値）を時系列データとして画面にグラフ表示するようにしている（例えば、特許文献１参照）。
【０００４】
例えば、単位期間を１ヶ月とした場合、１ヶ月毎に求められたエネルギーの消費量（計測値）を時系列データとし、この１ヶ月毎の時系列データを１年分、棒グラフなどによって表示する。この１年分のグラフを年グラフと呼ぶ。また、単位期間を１日とした場合、１日毎に求められたエネルギーの消費量（計測値）を時系列データとし、この１日毎の時系列データを１ヶ月分、棒グラフなどによって表示する。この１ヶ月分のグラフを月グラフと呼ぶ。また、単位期間を１時間とした場合、１時間毎に求められたエネルギーの消費量（計測値）を時系列データとし、この１時間毎の時系列データを１日分、棒グラフなどによって表示する。この１日分のグラフを日グラフと呼ぶ。なお、１ヶ月毎、１日毎、１時間毎に求められたエネルギーの消費量は集計値であるが、本明細書ではこの集計値を含めて全て計測値と呼ぶ。
【０００５】
従来のエネルギー管理システムにおいて、年グラフ、月グラフ、日グラフなどのエネルギーのグラフは、必要に応じて画面上に表示させることができる。例えば、メニューからプルダウン方式で表示される年グラフの指定画面から所望の年を指定すれば、その指定された年の年グラフが表示される。また、メニューからプルダウン方式で表示される月グラフの指定画面から所望の月を指定すれば、その指定された月の月グラフが表示される。また、メニューからプルダウン方式で表示される日グラフの指定画面から所望の日を指定すれば、その指定された日の日グラフが表示される。
【０００６】
このエネルギーのグラフは、省エネルギーのために利用される。例えば、特にエネルギーの消費量が多い「特異月」や「特異日」を調べ、原因を探るというようなことが行われる。
【先行技術文献】
【特許文献】
【０００７】
【特許文献１】特許第４８９７９３６号公報
【発明の概要】
【発明が解決しようとする課題】
【０００８】
しかしながら、従来のエネルギー管理システムでは、ユーザの操作性が悪く、「特異月」や「特異日」のグラフの詳細を簡易に確認することができないという問題があった。
【０００９】
例えば、年グラフにおいて、１ヶ月毎のエネルギーの消費量を見ている場合に、エネルギーの消費量が特異となっている月の詳細なグラフ（月グラフ）を表示させたいという場合（ケース１）がある。また、月グラフにおいて、１日毎のエネルギーの消費量を見ている場合に、エネルギーの消費量が特異となっている日の詳細なグラフ（日グラフ）を表示させたいという場合（ケース２）がある。
【００１０】
ケース１の場合、ユーザは、年グラフの表示中、エネルギーの消費量が特異となっている月（特異月）を特定し、メニューからプルダウン方式で月グラフの指定画面を表示させ、この表示させた月グラフの指定画面において特定した月を指定することによって、その月の月グラフを表示させる。
【００１１】
ケース２の場合、ユーザは、月グラフの表示中、エネルギーの消費量が特異となっている日（特異日）を特定し、メニューからプルダウン方式で日グラフの指定画面を表示させ、この表示させた日グラフの指定画面において特定した日を指定することによって、その日の日グラフを表示させる。
【００１２】
このように、従来のエネルギー管理システムでは、メニューからプルダウン方式で月グラフの指定画面や日グラフの指定画面を表示させ、この表示させた月グラフの指定画面や日グラフの指定画面においてエネルギーの消費量が特異となっている月や日を指定しなければならず、「特異月」や「特異日」のグラフの詳細を簡易に確認することができなかった。
【００１３】
本発明は、このような課題を解決するためになされたもので、その目的とするところは、ユーザの操作性を向上させ、「特異月」や「特異日」のグラフの詳細を簡易に確認することが可能なグラフ表示装置および表示方法を提供することにある。
【課題を解決するための手段】
【００１４】
このような目的を達成するために本発明は、第１の軸を時間軸、この時間軸に直交する第２の軸をデータ軸とし、この時間軸とデータ軸とで示される直交平面上に第１の単位期間毎に求められた計測値を第１の時系列データとしてグラフ表示する第１のグラフ表示手段と、第１のグラフ表示手段によってグラフ表示されている第１の時系列データのうち所望の時系列データの表示領域が選択指定された場合、その選択指定された時系列データが求められた第１の単位期間を表示対象期間とし、この表示対象期間中の第１の単位期間よりも細かい第２の単位期間毎に求められた計測値を第２の時系列データとしてグラフ表示する第２のグラフ表示手段とを備えることを特徴とする。
【００１５】
この発明によれば、例えば、第１の単位期間を１ヶ月、第２の単位期間を１日とした場合、１ヶ月毎に求められた計測値が第１の時系列データとしてグラフ表示される。このグラフ表示されている第１の時系列データのうち所望の時系列データの表示領域が選択指定（例えば、クリック）されると、その選択指定された時系列データが求められた月が表示対象期間とされ、この表示対象期間中の１日毎に求められた計測値が第２の時系列データとしてグラフ表示される。
【００１６】
また、本発明において、例えば、第１の単位期間を１日、第２の単位期間を１時間とした場合、１日毎に求められた計測値が第１の時系列データとしてグラフ表示される。このグラフ表示されている第１の時系列データのうち所望の時系列データの表示領域が選択指定（例えば、クリック）されると、その選択指定された時系列データが求められた日が表示対象期間とされ、この表示対象期間中の１時間毎に求められた計測値が第２の時系列データとしてグラフ表示される。
【００１７】
例えば、エネルギーの消費量が多い「特異日」を調べ、原因を探るというような場合、１年３６５日分の日グラフをみて「特異日」を見つけるのは現実的ではない。このため、年グラフから「特異月」を見つけ、更にその「特異月」の月グラフから「特異日」を見つけるというように、大きな視点から小さな視点へ原因を分析する方法が考えられる。本発明は、そのような作業の流れを補佐するユーザインタフェースとなる。
【発明の効果】
【００１８】
以上説明したことにより、本発明によれば、所望の時系列データの表示領域を選択指定するのみでよく、ユーザの操作性が向上し、「特異月」や「特異日」のグラフの詳細を簡易に確認することが可能となる。
【図面の簡単な説明】
【００１９】
【図１】図１は、本発明の実施の形態に係るグラフ表示装置のハードウェア構成の概略を示す図である。
【図２】図２は、このグラフ表示装置におけるＣＰＵの処理動作を説明するための年グラフ、月グラフ、日グラフを示す図である。
【図３】図３は、このグラフ表示装置の要部の機能ブロック図である。
【図４】図４は、時系列データをその時系列データが求められる単位期間中の最大電力値とした例を示す図である。
【発明を実施するための形態】
【００２０】
以下、本発明の実施の形態を図面に基づいて詳細に説明する。図１に本発明の実施の形態に係るグラフ表示装置１００のハードウェア構成の概略を示す。
【００２１】
このグラフ表示装置１００は、中央演算処理装置（ＣＰＵ）１０１と、ランダムアクセスメモリ（ＲＡＭ）１０２と、読み出し専用メモリ（ＲＯＭ）１０３と、ハードディスクなどの記憶装置１０４と、各種インタフェース１０５〜１０７とを備えたコンピュータからなり、周辺機器として、ディスプレイ１０８やキーボード１０９、マウス１１０などを備えている。
【００２２】
なお、本実施の形態において、コンピュータとは、デスクトップ型コンピュータ、ノートブック型コンピュータ、タブレット端末、スマートフォンなどの様々なコンピュータを意味する。また、ディスプレイ１０８としては、ＬＣＤ（Liquid Crystal Display）、ＣＲＴ（Cathode Ray Tube）、あるいは、その他の表示装置が用いられていてもよい。また、マウス１１０の代わりに、タッチパネル、タッチパッド、トラックボール、ペンタブレット、あるいは、その他のポインティングデバイスが用いられていてもよい。また、以下の説明において、「クリック」とはマウス１１０を用いた操作によるものである。図１には、コンピュータの一例として、ノート型のコンピュータ（ノート型パソコン）を用いた例を示している。
【００２３】
このグラフ表示装置１００には、本実施の形態特有のプログラムとして、エネルギーグラフ表示プログラムＰＧ１がインストールされている。このエネルギーグラフ表示プログラムＰＧ１は、例えばＣＤ−ＲＯＭなどの記録媒体に記録された状態で提供され、この記録媒体から読み出されて記憶装置１０４に記録され、使用可能な状態としてグラフ表示装置１００にインストールされている。
【００２４】
このグラフ表示装置１００において、ＣＰＵ１０１は、インターフェイス１０５〜１０７を介して与えられる各種入力情報を処理することで、ＲＡＭ１０２やＲＯＭ１０３、記憶装置１０４にアクセスしながら、グラフ表示装置１００にインストールされているエネルギーグラフ表示プログラムＰＧ１に従って動作する。
【００２５】
先ず、エネルギーグラフ表示プログラムＰＧ１に従ってＣＰＵ１０１が実行する処理動作について、図２を用いて説明する。図２（ａ）に示すグラフＧ１は年グラフ、図２（ｂ）に示すグラフＧ２は月グラフ、図２（ｃ）に示すグラフＧ３は日グラフである。本実施の形態において、グラフＧ１，Ｇ２，Ｇ３は棒グラフとして表示される。
【００２６】
ＣＰＵ１０１は、第１の軸（横軸）を時間軸、この時間軸に直交する第２の軸（縦軸）をデータ軸とし、この時間軸とデータ軸とで示される直交平面上に１ヶ月毎に求められたエネルギーの消費量（計測値）を第１の時系列データとしてグラフ表示する。このグラフが年グラフＧ１である。
【００２７】
この年グラフＧ１において、エネルギーの消費量が特異となっている月の詳細なグラフ（月グラフ）を表示させたい場合、ユーザは、その月の時系列データの表示領域（棒グラフ）を選択指定する。図２（ａ）の例では、年グラフＧ１において、「２０１５／３」をエネルギーの消費量が特異となっている月（特異月）とし、この月の時系列データの表示領域Ｓ１をクリックしている。
【００２８】
すると、ＣＰＵ１０１は、時系列データの表示領域がクリックされた月を詳細なデータの表示対象期間とし、この表示対象期間中の１日毎に求められたエネルギーの消費量（計測値）を第２の時系列データとしてグラフ表示する。図２（ａ）の例では、「２０１５／３」を詳細なデータの表示対象期間とし、この表示対象期間中の１日毎に求められたエネルギーの消費量を第２の時系列データとしてグラフ表示させるものとしている。このグラフが図２（ｂ）に示された月グラフＧ２である。
【００２９】
この月グラフＧ２において、エネルギーの消費量が特異となっている日の詳細なグラフ（日グラフ）を表示させたい場合、ユーザは、その日の時系列データの表示領域（棒グラフ）を選択指定する。図２（ｂ）の例では、月グラフＧ２において、「２０１５／３／３」をエネルギーの消費量が特異となっている日（特異日）とし、この日の時系列データの表示領域Ｓ２をクリックしている。
【００３０】
すると、ＣＰＵ１０１は、時系列データの表示領域がクリックされた日を詳細なデータの表示対象期間とし、この表示対象期間中の１時間毎に求められたエネルギーの消費量（計測値）を第３の時系列データとしてグラフ表示する。図２（ｂ）の例では、「２０１５／３／３」を詳細なデータの表示対象期間とし、この表示対象期間中の１時間毎に求められたエネルギーの消費量を第３の時系列データとしてグラフ表示させるものとしている。このグラフが図２（ｃ）に示された月グラフＧ３である。
【００３１】
このように、本実施の形態によれば、年グラフＧ１において、所望の時系列データの表示領域を選択指定するのみで、その選択指定された時系列データが求められた月を表示対象期間とし、この表示対象期間中の１日毎の時系列データをグラフ表示させることができ、月グラフＧ２において、所望の時系列データの表示領域を選択指定するのみで、その選択指定された時系列データが求められた日を表示対象期間とし、この表示対象期間中の１時間毎の時系列データをグラフ表示させることができる。これにより、ユーザの操作性が向上し、「特異月」や「特異日」のグラフの詳細を簡易に確認することができるようになる。
【００３２】
図３に、本実施の形態のグラフ表示装置１００の要部の機能ブロック図を示す。このグラフ表示装置１００は、ＣＰＵ１０１の処理機能として、時間軸とデータ軸とで示される直交平面上に第１の単位期間（１ヶ月）毎に求められたエネルギーの消費量（計測値）を第１の時系列データとしてグラフ表示する第１のグラフ表示部１と、第１のグラフ表示部１によってグラフ表示されている第１の時系列データのうち所望の時系列データの表示領域が選択指定された場合、その選択指定された時系列データが求められた第１の単位期間（１ヶ月）を表示対象期間とし、この表示対象期間中の第１の単位期間よりも細かい第２の単位期間（１日）毎に求められたエネルギーの消費量（計測値）を第２の時系列データとしてグラフ表示する第２のグラフ表示部２と、第２のグラフ表示部２によってグラフ表示されている第２の時系列データのうち所望の時系列データの表示領域が選択指定された場合、その選択指定された時系列データが求められた第２の単位期間（日）を表示対象期間とし、この表示対象期間中の第２の単位期間よりも細かい第３の単位期間（１時間）毎に求められたエネルギーの消費量（計測値）を第３の時系列データとしてグラフ表示する第３のグラフ表示部３とを備えている。
【００３３】
なお、上述した実施の形態では、時系列データとしてグラフ表示される計測値をエネルギーの消費量としたが、エネルギーの消費量に限られるものではない。例えば、温度を計測値とし、「温度」の特異月、特異日の詳細を表示させる（ドリルダウン）という使い方も考えられる。例えば、温度を年や月のグラフで表示する場合、平均値や最大・最小値をグラフで表示する。この場合、年間のグラフを見て、外気温が最大となる月へ遷移し、更にその月の中の外気温が最大の日というようなドリルダウンもあり得る。（そして、そのドリルダウンの結果、外気温が最大になる日に、エネルギー消費がどうなるか、という調べ方もある。）
【００３４】
また、上述した実施の形態において、エネルギーの消費量とは、工場やプラントで使用される電気、ガス、水道などのエネルギーの消費量の総和であってもよく、電気、ガス、水道などの個々のエネルギーの消費量であってもよい。例えば、電力量をエネルギーの消費量とすれば、図２に示したグラフにおける縦軸が電力量とされる。また、図２に示したグラフにおいて、エネルギーの消費量が最大となっている期間以外でも、最小となっている期間や最大でも最小でもないけれど「気になる」期間が選択指定されることもあり、その場合にも上述と同様にしてその期間の詳細が表示されるものとなる。
【００３５】
また、上述した実施の形態では、時系列データをその時系列データが求められる期間中のエネルギーの消費量としたが、その期間中の最大電力値とするようにしてもよい。
【００３６】
電力デマンドの場合、３０分毎の電力値（デマンド値）が契約電力を超えないかが重要となる。そのため、電力デマンドの月グラフや年グラフでは、各日、各月ごとにその期間中の最大電力値（最大デマンド値）を時系列データとしてグラフ表示する。このような場合に、本発明によるユーザインタフェースは、特に効力を有する。
【００３７】
図４に、上述した実施の形態において、時系列データをその時系列データが求められる期間中の最大電力値（最大デマンド値）とした例を示す。この例では、年グラフＧ１でその値が最大となっている月の時系列データの表示領域Ｓ１をクリック（１クリック目）すると、その月の月グラフＧ２が表示される。この月グラフＧ２において、その値が最大となっている日の時系列データをクリック（２クリック目）すると、その日の日グラフＧ３が表示される。これにより、２クリックで、年度内で最大のデマンド値となった日の詳細なグラフをすぐに表示させることができる。
【００３８】
また、上述した実施の形態では、年から月、月から日へドリルダウンさせるものとしたが、このドリルダウンさせる際の期間の単位はあくまでも一例であり、「年→６ヶ月→１月→半月→１週間→３日→日」というようなドリルダウンとするなどしてもよい。
【００３９】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００４０】
１…第１のグラフ表示部、２…第２のグラフ表示部、３…第３のグラフ表示部、Ｇ１…年グラフ、Ｇ２…月グラフ、Ｇ３…日グラフ、Ｓ１，Ｓ２…時系列データの表示領域、１００…グラフ表示装置、１０１…ＣＰＵ、１０２…ＲＡＭ、１０３…ＲＯＭ、１０４…記憶装置、１０５〜１０７…インターフェイス、１０８…ディスプレイ、１０９…キーボード、１１０…マウス。
【図１】
2018049508.tif 000003
【図２】
2018049508.tif 000004
【図３】
2018049508.tif 000005
【図４】
2018049508.tif 000006